(57)【要約】【課題】本発明は、自動車用ウォッシャーノズルに関し、自動車用ウォッシャーノズルにおいて洗浄液が広角で綺麗に広がるようにすることが課題であって、それを解決することである。【解決手段】液体を供給路から供給され該供給路に略直交する噴射路を経由して噴射口から噴射するウォッシャーノズルであって、前記供給路の横断面である外周円が、当該外周円を平面視した場合に噴射口の両噴射側壁の内側に内接した状態となっている自動車用ウォッシャーノズル１とするものである。【選択図】図１
2011031660.tif 000002
【特許請求の範囲】
【請求項１】
液体を供給路から供給され該供給路に略直交する噴射路を経由して噴射口から噴射するウォッシャーノズルであって、
前記供給路の横断面である外周円が、当該外周円を平面視した場合に噴射口の両噴射側壁の内側に内接した状態、若しくは、前記噴射口の両噴射側壁の頂部内側と一定の間隙をおいて内接に近い状態となっていること、
を特徴とする自動車用ウォッシャーノズル。
【請求項２】
供給路を含むノズル本体と噴射路を含むノズルとが、別体で形成され嵌合されて一体になると共に、前記ノズルが少なくとも前記ノズル本体の供給路の軸心廻りに回転自在に嵌合されていること、
を特徴とする請求項１に記載の自動車用ウォッシャーノズル。
【請求項３】
ノズルの頭部の形状は、回転用工具で回転されるべく当該回転用工具が嵌合される形状に形成されていること、
を特徴とする請求項２に記載の自動車用ウォッシャーノズル。
【発明の詳細な説明】
【技術分野】
【０００１】
本発明は、自動車用ウォッシャーノズルに関するものである。
【背景技術】
【０００２】
従来、自動車用のウォッシャーノズルは、例えばフロントパネルに固定され、フロントガラスの所定の範囲、ワイパーのブレードの往復可動範囲に洗浄液を噴射するものであるので、噴射口からジェット状（直線的）に噴射する。また、近年では、自励発振回路を有するウォッシャーノズルがあり、左右に幅広く洗浄液を噴射するものがある。しかしながら、これらは、車両取付位置からガラス面までの距離が長いため、特に高速走行中の風圧で邪魔され理想的な着水点から外れてしまうことが多い。そこで、特許文献１，２に記載されている様に、ワイパーアームにノズルを取り付けるものが知られている。
【先行技術文献】
【特許文献】
【０００３】
【特許文献１】特公昭６３−５０２２９号公報
【特許文献２】実開平０３−１３２５６号公報
【発明の概要】
【発明が解決しようとする課題】
【０００４】
しかし、上記のようなワイパーアームに取り付けた自動車用ウォッシャーノズルでは、視界を遮らない様に限られた狭い取付空間に取り付けるので、噴射口から直線的なジェット噴射で洗浄液を噴射することになり、噴射角度が狭く多数の噴射口を備えなければならない。その結果、噴射ノズルが多くなりコストが嵩み、配管チューブ等も複数必要になってワイパーアームに取り付ける構造が複雑となり、取付工数も嵩む様になる。
本発明に係る自動車用ウォッシャーノズルは、このような課題を解決するために提案されたものである。
【課題を解決するための手段】
【０００５】
本発明に係る自動車用ウォッシャーノズルの上記課題を解決して目的を達成するための要旨は、液体を供給路から供給され該供給路に略直交する噴射路を経由して噴射口から噴射するウォッシャーノズルであって、前記供給路の横断面である外周円が、当該外周円を平面視した場合に噴射口の拡開している両噴射側壁の内側に内接した状態、若しくは、前記噴射口の両噴射側壁の頂部内側と一定の間隙をおいて内接に近い状態となっていることである。
【０００６】
また、前記供給路を含むノズル本体と噴射路を含むノズルとが、別体で形成され嵌合されて一体になると共に、前記ノズルが少なくとも前記ノズル本体の供給路の軸心廻りに回転自在に嵌合されていること、更に、前記ノズルの頭部の形状は、回転用工具で回転されるべく当該回転用工具が嵌合される形状に形成されていること、を含むものである。
【発明の効果】
【０００７】
本発明の自動車用ウォッシャーノズルによれば、ノズル本体の供給路から略直交して曲げられて供給される洗浄液が、拡開している噴射口から広角に、且つ、綺麗に噴射されるようになる。また、このウォッシャーノズルは部品点数が少ないので、コストも低減される。更に、ワイパーアームに取り付ける場合には、１個で十分な広角の噴射が得られる様になり、ワイパーの部品コスト低減および組み立コスト低減となる。
【０００８】
このウォッシャーノズルのノズルが、少なくともノズル本体の供給路の軸心廻りに回転自在であるので、射点の調整がしやすいものである。また、ノズルの頭部が、当該回転用工具が嵌合される形状に形成されているので、容易に射点の調整が出来るようになる。
【図面の簡単な説明】
【０００９】
【図１】本発明に係る自動車用ウォッシャーノズル１におけるノズルの噴射角度を示す各実施例の平面視した断面図（Ａ），（Ｂ），（Ｃ），（Ｅ）と、比較用の従来の場合の噴射角度の例を示す断面図（Ｄ）である。
【図２】同本発明の自動車用ウォッシャーノズル１のノズル１ｂの角度を変化させる様子を示す説明用の斜視図である。
【図３】本発明にかかるウォッシャーノズル１のノズル本体１ａとノズル１ｂの組立を示す説明用断面図（Ａ）と、ノズル１ｂを三次元的に支持する場合を示す説明用断面図（Ｂ）とである。
【図４】同ウォッシャーノズル１のノズル１ｂを工具で回転させる様子を示す説明図である。
【図５】同ウォッシャーノズル１の使用状態を示す一部拡大した斜視図（Ａ）、更に一部拡大した斜視図（Ｂ）である。
【図６−Ａ】ウォッシャーノズル１，１ｆの使用状態における断面図および斜視図（Ａ）〜（Ｄ）である。
【図６−Ｂ】同ウォッシャーノズル１の広角θの相違により、ワイパーアーム１０に車種によって異なる取付位置に対応させて、装着することができる。
【図７】従来例に係るジェット用ノズルの使用状態を示す説明用斜視図である。
【発明を実施するための形態】
【００１０】
本発明に係る自動車用ウォッシャーノズル１は、図１（Ａ）〜（Ｃ）乃至図２に示すように、液体を供給路２から供給され該供給路２に略直交する噴射路３を経由して噴射口４から噴射するウォッシャーノズル１であって、前記供給路２の横断面である外周円２ａが、当該外周円２ａを平面視した場合に噴射口４の拡開している両噴射側壁５，６の内側に内接した状態となっているものである。
【実施例１】
【００１１】
前記ウォッシャーノズル１は、図２に示すように、前記供給路２を含むノズル本体１ａと噴射路３を含むノズル１ｂとが、別体で形成され嵌合されて一体になると共に、前記ノズル１ｂが少なくとも前記ノズル本体１ａの供給路２の軸心ａ廻りに回転自在に嵌合されている。図３に示すように、前記供給路２の軸芯ａと、噴射路３の軸芯ｂとが略直交している。このウォッシャーノズル１では、前記供給路２と噴射路３とは少なくとも斜めに屈曲されており、直線状ではない。
【００１２】
前記噴射路３を形成する両側の側壁５，６は、図１（Ａ）に示すように、平面視した直交座標ＸＸ−Ｙにおいて、中心点Ｏに対して噴射方向と反対側のＸ軸上におけるＦ１点から外周円２ａに接線を引いてできる側壁である。
【００１３】
Ｆ１点を中心にして側壁５，６の拡開角度θを、例えば、図１（Ａ）に示すように、略９０°程度にしたり、９０°以下にしたり（図１（Ｂ）参照）、広角（９０°以上、例えば、θ＝１５０°程度）にしたり（図１（Ｃ）参照）するものである。このように、Ｘ軸を対称軸にして、所望の拡開角度θにした線を前記外周円２ａに内接させて、側壁５，６を位置決めするものである。Ｘ軸上における中心点Ｏから前記Ｆ１点までの距離Ｌは、前記拡開角度θに応じて任意に設定することができる。なお、図１（Ｅ）に示すように、前述の様な内接状態に対して、外周円２ａを側壁５，６の半円形曲面形状の頂部に、例えばｂ（隙間）≦ａ／４（ａは供給路２の外周円２ａの直径）の隙間をおいて、ほぼ内接に近い状態となるような状態にすることもある。
【００１４】
更に、前記回転自在なノズル１ｂは、図３（Ａ）に示すように、嵌合部を球面体１ｃと球面座１ｄとにして３次元的に回転できる様にしてある。これにより、少なくとも、前記ノズル本体１ａの供給路２の軸心ａ廻りに回転自在となる。また、図３（Ｂ）に示すように、軸芯ａに対して３次元的に、上下方向にもノズル１ｂが揺動できる様にすることもできる。
【００１５】
更に、当該ノズル１ｂの頭部の形状は、図４に示すように、例えば、六角レンチ７やスパナ８等の回転用工具で回転されるべく、嵌合部１ｅが当該回転用工具が嵌合される形状に形成されている。これにより、ノズル１ｂの噴射口４からの洗浄液９の噴射方向を容易に調整できるようになる。
【００１６】
このようなウォッシャーノズル１を、図５（Ａ），（Ｂ）に示すように、自動車のワイパーアーム１０に取り付ける。このウォッシャーノズル１にはワイパーアームに取り付けられる配管チューブ１１から洗浄液９が供給され、ウォッシャーノズル１の噴射口４から、広角にして洗浄液が噴射される。一つのワイパーには一つのウォッシャーノズル１で十分であり、ワイパーブレード１０ａの進行方向の前方に満遍なく洗浄液９を塗布していく。
【実施例２】
【００１７】
図６−Ａに示すように、他の実施例としてウォッシャーノズル１ｆの、ノズル１ｂを２箇所に設けたものにすることができる。洗浄液９をオープン側とクローズ側との両方に噴射させるものである。ワイパーブレ−ド１０ａの往復移動する前後に確実に洗浄液を噴射する様にしたものである。
【００１８】
ウォッシャーノズル１，１ｆにおけるノズル１ｂの角度調節は、自動車生産ラインにおいて、ワイパーアーム１０にこのウォッシャーノズル１，１ｆ装着したときに、フロントガラス１２の所定の的位置（車種毎に異なる）に当たるように、回転用工具で調節する。作業空間が広く外側から見やすいので容易に出来るようになる。
【実施例３】
【００１９】
図６−Ｂに示すように、車種によってウォッシャーノズル１を取り付ける位置が異なる場合がある。そのような時でも、拡開角度θの異なる広角なウォッシャーノズル１を用意することで、若しくは、ノズル１ｂを回転させることで、容易に対応させることができるものである。
【産業上の利用可能性】
【００２０】
本発明に係るウォッシャーノズルは、自動車用のノズルとしてだけではなく、家庭の庭用の散布用スプレーや園芸用スプレーなど、幅広く適用することができる。
【符号の説明】
【００２１】
１          自動車用ウォッシャーノズル、      １ａ        ノズル本体、
１ｂ        ノズル、                          １ｃ        球面体、
１ｄ        球面座、                          １ｅ        嵌合部、
１ｆ        ウォッシャーノズル、      
２          供給路、                          ２ａ        外周円、  
３          噴射路、  
４          噴射口、
５          側壁、
６          側壁、
７          六角レンチ、
８          スパナ、
９          洗浄液、
１０        ワイパーアーム、
１０ａ      ワイパーブレード、
１１        配管チューブ、
１２        フロントガラス。    
【図１】
2011031660.tif 000003
【図２】
2011031660.tif 000004
【図３】
2011031660.tif 000005
【図４】
2011031660.tif 000006
【図５】
2011031660.tif 000007
【図６−Ａ】
2011031660.tif 000008
【図６−Ｂ】
2011031660.tif 000009
【図７】
2011031660.tif 000010